(57)【要約】【課題】固定具が容易には緩みにくく、締めつけすぎることもなく安定して確実に接続部材が接続できる接続部材を提供すること。【解決手段】固定具（２）は、内周面の前方部から中間部にかけてメスコネクタ（４）の係止部（１６）と螺合する螺合部（６）を形成し、内周面の後方端部には突起（５）を形成し、前記突起（５）は、オスコネクタ（３）の係止部（１２）の径（Ｄ）に対して、１／１５から１／５（Ｄ）の高さに形成し、前記メスコネクタ（４）のテーパ状管状体（１４）に前記オスコネクタ（３）のテーパ状突起部（１１）を挿入し、固定具（２）を回転させてオスコネクタ（３）とメスコネクタ（４）を接続する際に、前記突起（５）がオスコネクタ（３）後方部のチューブ接続部（１３）に接続されているチューブ（Ｔ）に食い込むように形成した接続部材（１）。【選択図】図１
0003120990.tif 000002
【実用新案登録請求の範囲】
【請求項１】
オスコネクタ（３）とメスコネクタ（４）と固定具（２）とから構成される接続部材（１）であって、
前記オスコネクタ（３）は、メスコネクタ（４）との接続側から見て、前方にテーパ状突起部（１１）、中間に係止部（１２）、後方にチューブ接続部（１３）を形成し、
前記メスコネクタ（４）は、オスコネクタ（３）との接続側から見て、前方部に前記オスコネクタ（３）のテーパ状突起部（１１）が挿入可能なテーパ状管状体（１４）、後方部にチューブ接続部（１５）、外周面の前方部には係止部（１６）を形成し、
前記固定具（２）は、内周面の前方部から中間部にかけてメスコネクタ（４）の係止部（１６）と螺合する螺合部（６）を形成し、内周面の後方端部には突起（５）を形成し、
前記突起（５）は、オスコネクタ（３）の係止部（１２）の径（Ｄ）に対して、１／１５から１／５（Ｄ）の高さに形成し、
前記メスコネクタ（４）のテーパ状管状体（１４）に前記オスコネクタ（３）のテーパ状突起部（１１）を挿入し、固定具（２）を回転させてオスコネクタ（３）とメスコネクタ（４）を接続する際に、前記突起（５）がオスコネクタ（３）後方部のチューブ接続部（１３）に接続されているチューブ（Ｔ）に食い込むように形成したことを特徴とする接続部材（１）。
【請求項２】
前記突起（５）は、１個ないし複数個の略粒形状（略半球状）、または環状、または螺旋状であることを特徴とする請求項１に記載の接続部材（１）。
【請求項３】
請求項１ないし請求項２に記載の接続部材（１）を含むことを特徴とする医療用具。
【考案の詳細な説明】
【技術分野】
【０００１】
本考案は、体外循環回路、カテーテル類、輸液・輸血セット等の医療用具に使用される、ルアーロックなどの固定具つき接続部材の改良に関する。特に、接続部材の接合部を固定具で締めつけたあとも、固定具の締めつけが緩んだり、はずれたりすることのない接続部材に関するものである。
【背景技術】
【０００２】
図５は、従来使用される接続部材５１の使用状態の概略図である。接続部材５１は、オスコネクタ５３とメスコネクタ５４を接合し、メスコネクタ５４の後方部に形成した係止部６７を、固定具５２の内周面に形成した螺合部５６に係止して、固定具５２を回転させることで、螺合部５６の接合部外周から締めつけられて固定される。
【０００３】
このように、固定具５２を回転させることで螺合部５６が接合部の外周を締めつけている。そのため、固定具５２の締めつけが不十分であると、外部衝撃などで締めつけた方向とは逆方向に回転して簡単に外れたり、締めつける力が強すぎると、オスコネクタ５３とメスコネクタ５４が離脱できなくなったり、さらにはひび割れが生じたりすることがあった。
【０００４】
そこで、本出願人により次のような接続部材が考案された。
特許文献１の接続部材は、固定具１０の内周面の後端部に形成された係止部１２が、オスコネクタ２の中間部に形成された第一の係止部４及び第二の係止部５のうち、（メスコネクタ１５との接続側から見て）後方の第二の係止部５を乗り越えて、第一の係止部４と第二の係止部５の間の溝部６に係止される。これにより、固定具が容易には緩まず、かつ第一の係止部４がストッパの役目にもなり、係止した位置以上には固定具が締まらないため、オスコネクタ２とメスコネクタ１５が離脱できなくなったり、ひび割れが生じたりすることがないというものである。
【０００５】
また、特許文献２の接続部材は、オスコネクタ２の中間部に形成された第二の係止部５に、固定具１０の内周面の後方部に形成した螺合部１３が螺合し、メスコネクタ１５の前方に形成された係止部１８に固定具１０の内周面の前方部に形成した螺合部１１が螺合することで、オスコネクタ２とメスコネクタ１５の接合部は完全に固定される。さらに前記螺合の際、固定具１０の係止部１２がオスコネクタ２の第二の係止部５を乗り越えて、第一の係止部４と第二の係止部５の間の溝部６に係合することで、固定具１０は容易に緩んだり前後に移動してはずれたりせず、また第二の係止部５により固定具１０の回転限度が得られるため固定具１０を締めつけすぎることがないので、接続部材が離脱できなくなったりひび割れが生じたりすることがないというものである。
【０００６】
しかし、強いて言えば、特許文献１の考案では固定具１０の係止部１２が乗り越えやすいように、オスコネクタ２の第二の係止部５がチューブ側に細くテーパ状に形成されているので、乗り越えるときはスムーズであるが、離脱の際はテーパ状による抵抗があり、離脱しにくくなるという難点がある。
また、特許文献２の考案では、オスコネクタ２にも第一の係止部４の他にネジ状の第二の係止部５を形成し、固定具１０の内周面にも螺合部１１及び係止部１２を形成し、部品の構造が複雑で、さらに螺合部１１及び係止部１２を有する固定具が、構造上どうしても大きくなりがちである（接続部材が大きいと、使用時に患者に固定したときなど、患者にとって痛みなどの苦痛が生じる）。
【特許文献１】実用新案登録第３１０９３３３号公報（図３、図４）
【特許文献２】実用新案登録第３１０８８２５号公報（図１）
【考案の開示】
【考案が解決しようとする課題】
【０００７】
解決しようとする問題点は、図５のような従来から使用されている接続部材５１では、透析などの使用中に固定具５２が緩んで接続部材５１がはずれてしまう点、また緩まないように締めつけすぎると、固定具５２がはずれず接続したコネクタ同士が離脱できなくなったり、締めつけすぎによるひび割れが生じたりする点である。
【課題を解決するための手段】
【０００８】
そこで本考案者は鋭意検討の結果、外形や使い勝手は従来の接続部材と変わらないが、従来の接続部材のように、透析などの使用中に固定具が緩んで接続部材がはずれてしまったり、緩まないように締めつけすぎると、固定具がはずれず、接続したコネクタ同士が離脱できなくなったり、締めつけすぎでひび割れが生じたりすることがなく、しかも確実に着脱が可能である接続部材を考案した。
［１］本考案は、オスコネクタ（３）とメスコネクタ（４）と固定具（２）とから構成される接続部材（１）であって、
前記オスコネクタ（３）は、メスコネクタ（４）との接続側から見て、前方にテーパ状突起部（１１）、中間に係止部（１２）、後方にチューブ接続部（１３）を形成し、
前記メスコネクタ（４）は、オスコネクタ（３）との接続側から見て、前方部に前記オスコネクタ（３）のテーパ状突起部（１１）が挿入可能なテーパ状管状体（１４）、後方部にチューブ接続部（１５）、外周面の前方部には係止部（１６）を形成し、
前記固定具（２）は、内周面の前方部から中間部にかけてメスコネクタ（４）の係止部（１６）と螺合する螺合部（６）を形成し、内周面の後方端部には突起（５）を形成し、
前記突起（５）は、オスコネクタ（３）の係止部（１２）の径（Ｄ）に対して、１／１５から１／５（Ｄ）の高さに形成し、
前記メスコネクタ（４）のテーパ状管状体（１４）に前記オスコネクタ（３）のテーパ状突起部（１１）を挿入し、固定具（２）を回転させてオスコネクタ（３）とメスコネクタ（４）を接続する際に、前記突起（５）がオスコネクタ（３）後方部のチューブ接続部（１３）に接続されているチューブ（Ｔ）に食い込むように形成した接続部材（１）を提供する。
［２］本考案は、前記突起（５）は、１個ないし複数個の略粒形状（略半球状）、または環状、または螺旋状である［１］に記載の接続部材（１）を提供する。
［３］本考案は、［１］ないし［２］に記載の接続部材（１）を含む医療用具を提供する。
【考案の効果】
【０００９】
本考案の接続部材は、コネクタ同士を接続する際に固定具を締めたとき、固定具の内周面の後方端部に設けた突起が、オスコネクタに接続されているチューブに食い込むので、固定具が容易には緩みにくくなり、そのため締めつけすぎることもなく安定して確実に接続部材が接続されるので、好適に使用できるという効果を得られる。
【考案を実施するための最良の形態】
【００１０】
図１は本考案の接続部材１に用いる固定具２の断面図、図２は本考案の接続部材１の接続前の断面図、図３は本考案の接続部材１の接続時の断面図、また図４は本考案の接続部材１に用いる固定具２のその他の形状の断面図である。
［接続部材１］
本考案の接続部材１は、図２のようにオスコネクタ３とメスコネクタ４と固定具２とから構成されている。
オスコネクタ３は、メスコネクタ４接続部方向から見て、前方にテーパ状突起部１１、中間に係止部１２、後方にチューブ接続部１３で構成される。
一方のメスコネクタ４は、オスコネクタ３接続部方向から見て、前方にテーパ状管状体１４、後方にチューブ接続部１５で構成され、テーパ状管状体１４の前方の外周には、固定具２の螺合部６に螺合することで係止される係止部１６を有している。
【００１１】
［固定具５］
固定具２は、図１に示すように内周面前方部から中間にわたって螺合部６が形成され、内周面の後方端部には略粒形状（略半球状ともいう）突起５が形成されている。突起５は、内周面の後方端部に、１個ないし複数個形成される。
ところで、固定具２は、オスコネクタ３とメスコネクタ４を接続した接合部を、外側から覆って固定するものであるが、チューブＴが軟質部材のため、固定具２を固定する際、固定具２の突起５がチューブＴ表面に食い込むことで、固定具２は螺合部６とメスコネクタ４の係止部１６の係止だけのときよりもさらに強固に固定され、接続部材１は容易には緩みにくくなるのである。
突起５は、複数個の方がチューブＴを噛むような形になるので、１個のみ設けた場合よりも係止効果がより高まる。しかし、逆に突起５が多すぎるとチューブＴに食い込ませにくくなることで係止効果が減少する。したがって、突起５を形成する数としては、２個から多くても８個程度が好ましい。
なお、突起の形状は突起５の他にも、図４の固定具２の突起５に示すような、長さ方向に２個並列した形状を有してもよく、また、粒形状の他にも内周面にわたる環状、または螺旋状などでもよい。要するに、チューブに食い込むことができ、前述のような緩み防止の役目を果たせるものであれば、形状は特には限定しない。
【００１２】
また、突起５は、オスコネクタ３の係止部１２の径Ｄに対して、１／１５から１／５Ｄ、好ましくは１／１２から１／７ないし１／６、さらに好ましくは１／１０から１／８の高さに形成することで、もっともチューブＴへの食い込みがよいとともに、もっとも強固に固定され、突起５の、緩み防止や締めつけすぎの防止としての効果が発揮できる。
高さがあまり小さい（１／１５以下）と、食い込みが少なくなって、緩み防止や締めつけすぎの防止といった突起５の効果が得られず、また高さがあまり大きい（１／５以上）と、メスコネクタ４の係止部１６が固定具２の螺合部６の最奥部まで到達できず、オスコネクタ３とメスコネクタ４がしっかりと接続できない上、固定具２が緩む原因ともなり得るので好ましくない。
【実施例】
【００１３】
（１）接続部材１の接続時は、メスコネクタ４のテーパ状管状体１４に、オスコネクタ３のテーパ状突起部１１を挿入する。
（２）固定具２を回して、メスコネクタ４の係止部１６と固定具２の螺合部６を螺合させて係止する。螺合の際、固定具２の内周面の後方端部に形成された突起部５が、チューブＴに徐々に食い込んで止まるが、チューブＴが、弾力性のある軟質部材で形成されているので、突起５は無理なくチューブＴに食い込む。
（３）以上のように、チューブＴの弾力性の作用で、突起５がチューブＴに確実に食い込んでいるので、強く締めなくても固定具２が容易に緩んだりすることはなく、したがって接続部材がはずれたりすることもない。また、この突起５により、接続部材１全体にかかる負荷も少なく、接続した接続部材１をはずすときにもスムーズに取りはずすことができる。
【図面の簡単な説明】
【００１４】
【図１】本考案の接続部材１に用いる固定具２の断面図
【図２】本考案の接続部材１の接続前の断面図
【図３】本考案の接続部材１の接続時の断面図
【図４】本考案の接続部材１に用いる固定具２のその他の形状の断面図
【図５】従来の接続部材の使用方法の一例を示す概略図
【符号の説明】
【００１５】
１、５１  接続部材
２、５２  固定具
３、５３  オスコネクタ
４、５４  メスコネクタ
５  突起
６、５６  螺合部
１１  テーパ状突起部
１２、６７  係止部
１３  チューブ接続部
１４  テーパ状管状体
１５  チューブ接続部
１６  係止部
Ｔ  チューブ
【図１】
0003120990.tif 000003
【図２】
0003120990.tif 000004
【図３】
0003120990.tif 000005
【図５】
0003120990.tif 000006
【図４】
0003120990.tif 000007